(57)【要約】【課題】調剤業務を支援する色々な機能を実現する。【解決手段】処方ごとに、処方の受付時刻、処方の終了時刻および処方条件を記録する処方記録部１２と、処方記録手段から、所定の処方条件および所定の受付時刻の一方または双方を満たす処方の処理時間の平均を導出する第一統計表生成部１４および第二統計表生成部１６とを備え、処理時間は、終了時刻から受付時刻を減じた時間である調剤支援装置１０。受付の時間帯や処方条件による患者の待ち時間の傾向を第一統計表生成部１４により生成された第一統計表および第二統計表生成部１６により生成された第二統計表により把握できるので、効率の良い調剤業務、薬局運営を実現することができる。【選択図】図１
2008077506.tif 000002
【特許請求の範囲】
【請求項１】
処方ごとに、処方の受付時刻、処方の終了時刻および処方条件を記録する処方記録手段と、
前記処方記録手段から、所定の処方条件および所定の受付時刻の一方または双方を満たす前記処方の処理時間の平均を導出する平均導出手段と、
を備え、
前記処理時間は、前記終了時刻から前記受付時刻を減じた時間である、
調剤支援装置。
【請求項２】
処方ごとに、処方の受付時刻、処方の終了時刻および処方条件を記録する処方記録処理と、
前記処方記録処理の記録内容から、所定の処方条件および所定の受付時刻の一方または双方を満たす前記処方の処理時間の平均を導出する平均導出処理と、
をコンピュータに実行させるためのプログラムであり、
前記処理時間は、前記終了時刻から前記受付時刻を減じた時間である、
プログラム。
【請求項３】
請求項２に記載のプログラムを記録したコンピュータによって読み取り可能な記録媒体。
【請求項４】
テキスト形式のレセプトに関する情報を記録した記録媒体から、前記情報を読み出し、表示または印刷する調剤支援方法。
【請求項５】
処方せんの内容の監査結果を記録する第一監査結果記録手段と、
前記処方せんを処方した者と同一の者が処方し、前記処方せんを処方された者と同一の者が処方された新たな処方せんの内容の監査結果を記録する第二監査結果記録手段と、
前記第一監査結果記録手段の記録内容と前記第二監査結果記録手段の記録内容との差分を導出する差分導出手段と、
を備えた調剤支援装置。
【請求項６】
処方せんの内容の監査結果を記録する第一監査結果記録処理と、
前記処方せんを処方した者と同一の者が処方し、前記処方せんを処方された者と同一の者が処方された新たな処方せんの内容の監査結果を記録する第二監査結果記録処理と、
前記第一監査結果記録処理の記録内容と前記第二監査結果記録処理の記録内容との差分を導出する差分導出処理と、
をコンピュータに実行させるためのプログラム。
【請求項７】
請求項６に記載のプログラムを記録したコンピュータによって読み取り可能な記録媒体。
【請求項８】
調剤報酬に関する指導料または技術料の単価を入力する単価入力手段と、
調剤の件数を入力する件数入力手段と、
入力された前記単価および前記件数に基づき収入を演算する収入演算手段と、
支出を演算する支出演算手段と、
を備えた調剤支援装置。
【請求項９】
調剤報酬に関する指導料または技術料の単価を入力する単価入力処理と、
調剤の件数を入力する件数入力処理と、
入力された前記単価および前記件数に基づき収入を演算する収入演算処理と、
支出を演算する支出演算処理と、
をコンピュータに実行させるためのプログラム。
【請求項１０】
請求項９に記載のプログラムを記録したコンピュータによって読み取り可能な記録媒体。
【請求項１１】
薬局に再び来局することが予測される患者ごとに、患者氏名、調剤日、薬剤を使用する使用日数および使用する薬剤の量を記録する予測用処方記録手段と、
前記予測用処方記録手段に記録された前記調剤日および前記使用日数に基づき来局日を予測する来局日予測手段と、
前記来局日が所定期間内である前記患者の前記患者氏名および前記来局日を導出する来局予定導出手段と、
を備えた調剤支援装置。
【請求項１２】
薬局に再び来局することが予測される患者ごとに、患者氏名、調剤日、薬剤を使用する使用日数および使用する薬剤の量を記録する予測用処方記録手段と、
前記予測用処方記録手段に記録された前記調剤日および前記使用日数に基づき来局日を予測する来局日予測手段と、
前記来局日が所定期間内である前記患者の前記使用する薬剤の量を前記薬剤ごとに集計する使用予定量集計手段と、
を備えた調剤支援装置。
【請求項１３】
薬局に再び来局することが予測される患者ごとに、患者氏名、調剤日、薬剤を使用する使用日数および使用する薬剤の量を記録する予測用処方記録処理と、
前記予測用処方記録処理により記録された前記調剤日および前記使用日数に基づき来局日を予測する来局日予測処理と、
前記来局日が所定期間内である前記患者の前記患者氏名および前記来局日を導出する来局予定導出処理と、
をコンピュータに実行させるためのプログラム。
【請求項１４】
薬局に再び来局することが予測される患者ごとに、患者氏名、調剤日、薬剤を使用する使用日数および使用する薬剤の量を記録する予測用処方記録処理と、
前記予測用処方記録処理により記録された前記調剤日および前記使用日数に基づき来局日を予測する来局日予測処理と、
前記来局日が所定期間内である前記患者の前記使用する薬剤の量を前記薬剤ごとに集計する使用予定量集計処理と、
をコンピュータに実行させるためのプログラム。
【請求項１５】
請求項１３または１４に記載のプログラムを記録したコンピュータによって読み取り可能な記録媒体。
【請求項１６】
一種類以上の薬剤を内服する状況を表示する調剤支援装置であって、
ある一種類の薬剤の服用開始日および服用終了日を所定の幅の図形で表示させる開始終了日表示手段と、
前記服用開始日および前記服用終了日以外の日が、所定日数（N日とする（ただしNは２以上の整数））以上連続している状態を、前記所定の幅にNを乗じた幅よりも狭い幅の図形で表示させる定常状態表示手段と、
を備えた調剤支援装置。
【請求項１７】
請求項１６に記載の調剤支援装置であって、
前記定常状態表示手段は、ある薬剤を重複して服用する可能性のある日を、所定の幅の図形で表示させる、
調剤支援装置。
【請求項１８】
一種類以上の薬剤を内服する状況を表示する調剤支援処理をコンピュータに実行させるためのプログラムであって、
ある一種類の薬剤の服用開始日および服用終了日を所定の幅の図形で表示させる開始終了日表示処理と、
前記服用開始日および前記服用終了日以外の日が、所定日数（N日とする（ただしNは２以上の整数））以上連続している状態を、前記所定の幅にNを乗じた幅よりも狭い幅の図形で表示させる定常状態表示処理と、
をコンピュータに実行させるためのプログラム。
【請求項１９】
請求項１８に記載のプログラムを記録したコンピュータによって読み取り可能な記録媒体。
【発明の詳細な説明】
【技術分野】
【０００１】
本発明は調剤業務を支援するシステムに関する。
【背景技術】
【０００２】
調剤業務を支援するシステムとしては、服薬指導の効率を向上させるシステム（特許文献１を参照）、会計処理の効率を向上させるシステム（特許文献２を参照）、服薬指導を患者等へ請求する料金の算定に反映することを容易に行うシステム（特許文献３を参照）が提案されている。
【０００３】
【特許文献１】特開２００２−２９７７６８号公報
【特許文献２】特開２００２−９２１６６号公報
【特許文献３】特開２００５−３８１６３号公報
【発明の開示】
【発明が解決しようとする課題】
【０００４】
しかしながら、上記のような従来技術に加えて、さらに色々な機能の実現が求められている。
【０００５】
そこで、本発明は、調剤業務を支援する色々な機能の実現を課題とする。
【課題を解決するための手段】
【０００６】
本発明にかかる調剤支援装置は、処方ごとに、処方の受付時刻、処方の終了時刻および処方条件を記録する処方記録手段と、前記処方記録手段から、所定の処方条件および所定の受付時刻の一方または双方を満たす前記処方の処理時間の平均を導出する平均導出手段と、を備え、前記処理時間は、前記終了時刻から前記受付時刻を減じた時間であるように構成される。
【０００７】
上記のように構成された調剤支援装置によれば、処方記録手段は、処方ごとに、処方の受付時刻、処方の終了時刻および処方条件を記録する。平均導出手段は、前記処方記録手段から、所定の処方条件および所定の受付時刻の一方または双方を満たす前記処方の処理時間の平均を導出する。なお、前記処理時間は、前記終了時刻から前記受付時刻を減じた時間である。
【０００８】
本発明は、処方ごとに、処方の受付時刻、処方の終了時刻および処方条件を記録する処方記録処理と、前記処方記録処理の記録内容から、所定の処方条件および所定の受付時刻の一方または双方を満たす前記処方の処理時間の平均を導出する平均導出処理と、をコンピュータに実行させるためのプログラムであり、前記処理時間は、前記終了時刻から前記受付時刻を減じた時間であるプログラムである。
【０００９】
本発明は、上記のプログラムを記録したコンピュータによって読み取り可能な記録媒体である。
【００１０】
本発明は、テキスト形式のレセプトに関する情報を記録した記録媒体から、前記情報を読み出し、表示または印刷する調剤支援方法である。
【００１１】
本発明にかかる調剤支援装置は、処方せんの内容の監査結果を記録する第一監査結果記録手段と、前記処方せんを処方した者と同一の者が処方し、前記処方せんを処方された者と同一の者が処方された新たな処方せんの内容の監査結果を記録する第二監査結果記録手段と、前記第一監査結果記録手段の記録内容と前記第二監査結果記録手段の記録内容との差分を導出する差分導出手段とを備えるように構成される。
【００１２】
上記のように構成された調剤支援装置によれば、第一監査結果記録手段は、処方せんの内容の監査結果を記録する。第二監査結果記録手段は、前記処方せんを処方した者と同一の者が処方し、前記処方せんを処方された者と同一の者が処方された新たな処方せんの内容の監査結果を記録する。差分導出手段は、前記第一監査結果記録手段の記録内容と前記第二監査結果記録手段の記録内容との差分を導出する。
【００１３】
本発明は、処方せんの内容の監査結果を記録する第一監査結果記録処理と、前記処方せんを処方した者と同一の者が処方し、前記処方せんを処方された者と同一の者が処方された新たな処方せんの内容の監査結果を記録する第二監査結果記録処理と、前記第一監査結果記録処理の記録内容と前記第二監査結果記録処理の記録内容との差分を導出する差分導出処理とをコンピュータに実行させるためのプログラムである。
【００１４】
本発明は、上記のプログラムを記録したコンピュータによって読み取り可能な記録媒体である。
【００１５】
本発明にかかる調剤支援装置は、調剤報酬に関する指導料または技術料の単価を入力する単価入力手段と、調剤の件数を入力する件数入力手段と、入力された前記単価および前記件数に基づき収入を演算する収入演算手段と、支出を演算する支出演算手段とを備えるように構成される。
【００１６】
上記のように構成された調剤支援装置によれば、単価入力手段は、調剤報酬に関する指導料または技術料の単価を入力する。件数入力手段は、調剤の件数を入力する。収入演算手段は、入力された前記単価および前記件数に基づき収入を演算する。支出演算手段は、支出を演算する。
【００１７】
本発明は、調剤報酬に関する指導料または技術料の単価を入力する単価入力処理と、調剤の件数を入力する件数入力処理と、入力された前記単価および前記件数に基づき収入を演算する収入演算処理と、支出を演算する支出演算処理とをコンピュータに実行させるためのプログラムである。
【００１８】
本発明は、上記のプログラムを記録したコンピュータによって読み取り可能な記録媒体である。
【００１９】
本発明にかかる調剤支援装置は、薬局に再び来局することが予測される患者ごとに、患者氏名、調剤日、薬剤を使用する使用日数および使用する薬剤の量を記録する予測用処方記録手段と、前記予測用処方記録手段に記録された前記調剤日および前記使用日数に基づき来局日を予測する来局日予測手段と、前記来局日が所定期間内である前記患者の前記患者氏名および前記来局日を導出する来局予定導出手段とを備えるように構成される。
【００２０】
上記のように構成された調剤支援装置によれば、予測用処方記録手段は、薬局に再び来局することが予測される患者ごとに、患者氏名、調剤日、薬剤を使用する使用日数および使用する薬剤の量を記録する。来局日予測手段は、前記予測用処方記録手段に記録された前記調剤日および前記使用日数に基づき来局日を予測する。来局予定導出手段は、前記来局日が所定期間内である前記患者の前記患者氏名および前記来局日を導出する。
【００２１】
本発明にかかる調剤支援装置は、薬局に再び来局することが予測される患者ごとに、患者氏名、調剤日、薬剤を使用する使用日数および使用する薬剤の量を記録する予測用処方記録手段と、前記予測用処方記録手段に記録された前記調剤日および前記使用日数に基づき来局日を予測する来局日予測手段と、前記来局日が所定期間内である前記患者の前記使用する薬剤の量を前記薬剤ごとに集計する使用予定量集計手段とを備えるように構成される。
【００２２】
上記のように構成された調剤支援装置によれば、予測用処方記録手段は、薬局に再び来局することが予測される患者ごとに、患者氏名、調剤日、薬剤を使用する使用日数および使用する薬剤の量を記録する。来局日予測手段は、前記予測用処方記録手段に記録された前記調剤日および前記使用日数に基づき来局日を予測する。使用予定量集計手段は、前記来局日が所定期間内である前記患者の前記使用する薬剤の量を前記薬剤ごとに集計する。
【００２３】
本発明は、薬局に再び来局することが予測される患者ごとに、患者氏名、調剤日、薬剤を使用する使用日数および使用する薬剤の量を記録する予測用処方記録処理と、前記予測用処方記録処理により記録された前記調剤日および前記使用日数に基づき来局日を予測する来局日予測処理と、前記来局日が所定期間内である前記患者の前記患者氏名および前記来局日を導出する来局予定導出処理と、をコンピュータに実行させるためのプログラムである。
【００２４】
本発明は、薬局に再び来局することが予測される患者ごとに、患者氏名、調剤日、薬剤を使用する使用日数および使用する薬剤の量を記録する予測用処方記録処理と、前記予測用処方記録処理により記録された前記調剤日および前記使用日数に基づき来局日を予測する来局日予測処理と、前記来局日が所定期間内である前記患者の前記使用する薬剤の量を前記薬剤ごとに集計する使用予定量集計処理と、をコンピュータに実行させるためのプログラムである。
【００２５】
本発明は、上記のプログラムを記録したコンピュータによって読み取り可能な記録媒体である。
【００２６】
本発明にかかる調剤支援装置は、一種類以上の薬剤を内服する状況を表示する調剤支援装置であって、ある一種類の薬剤の服用開始日および服用終了日を所定の幅の図形で表示させる開始終了日表示手段と、前記服用開始日および前記服用終了日以外の日が、所定日数（N日とする（ただしNは２以上の整数））以上連続している状態を、前記所定の幅にNを乗じた幅よりも狭い幅の図形で表示させる定常状態表示手段とを備えるように構成される。
【００２７】
上記のように構成された一種類以上の薬剤を内服する状況を表示する調剤支援装置によれば、開始終了日表示手段は、ある一種類の薬剤の服用開始日および服用終了日を所定の幅の図形で表示させる。定常状態表示手段は、前記服用開始日および前記服用終了日以外の日が、所定日数（N日とする（ただしNは２以上の整数））以上連続している状態を、前記所定の幅にNを乗じた幅よりも狭い幅の図形で表示させる。
【００２８】
なお、本発明にかかる調剤支援装置は、前記定常状態表示手段が、ある薬剤を重複して服用する可能性のある日を、所定の幅の図形で表示させるようにしてもよい。
【００２９】
本発明は、一種類以上の薬剤を内服する状況を表示する調剤支援処理をコンピュータに実行させるためのプログラムであって、ある一種類の薬剤の服用開始日および服用終了日を所定の幅の図形で表示させる開始終了日表示処理と、前記服用開始日および前記服用終了日以外の日が、所定日数（N日とする（ただしNは２以上の整数））以上連続している状態を、前記所定の幅にNを乗じた幅よりも狭い幅の図形で表示させる定常状態表示処理と、をコンピュータに実行させるためのプログラムである。
【００３０】
本発明は、上記のプログラムを記録したコンピュータによって読み取り可能な記録媒体である。
【発明を実施するための最良の形態】
【００３１】
以下、本発明の実施形態を図面を参照しながら説明する。
【００３２】
第一の実施形態
図１は、第一の実施形態にかかる調剤支援装置１０の構成を示す機能ブロック図である。調剤支援装置１０は、処方記録部１２、第一統計表生成部（平均導出手段）１４、第二統計表生成部（平均導出手段）１６、表示器１８を備える。
【００３３】
図２は、処方記録部１２の記録内容の一例を示す図である。処方記録部１２は、処方ごとに、処方の受付時刻、処方の終了時刻および処方条件を記録する。なお、処方条件には、例えば、過去に受け付けた処方と同じ処方（Ｄｏ処方）であるか否か、服用時点ごとに薬品を一包化するか否か、計量混合を行うか否か（散剤、液剤、軟膏）、受付法（通常（薬局で処方を受付け、薬を持ち帰る）、ＦＡＸ（医療機関から送信されるＦＡＸ処方せんによる受付）、後で（薬局で処方を受付け、薬は後でとりにくる））、薬品数がある。なお、○は処方条件を満たすことを意味し、×は処方条件を満たさないことを意味する。
【００３４】
第一統計表生成部（平均導出手段）１４は、処方記録部１２の記録内容を読み出し、所定の受付時刻（例えば、８時３０分から８時５９分まで、９時０分から９時２９分まで、といった所定の時間帯）を満たす処方の処理時間の平均を導出する。さらに、第一統計表生成部１４は、所定の受付時刻を満たし、かつ、所定の処方条件（例えば、Ｄｏ処方か、それ以外かといいたこと）を満たす処方の処理時間の平均を導出する。なお、処理時間は、終了時刻から受付時刻を減じた時間である。図２の例でいえば、処方１の処理時間＝９時４０分−９時３０分＝１０分間であり、処方２の処理時間＝９時５０分−９時３０分＝２０分間である。
【００３５】
第一統計表生成部１４は、さらに導出結果を第一統計表として表示器１８に表示させる。図３は、第一統計表の一例を示す図である。なお、図３は、図２には対応していない。図３には、所定の時間帯における処方の処理時間の平均、Ｄｏ処方であるものの処方の処理時間の平均などが表示されている。
【００３６】
第二統計表生成部（平均導出手段）１６は、処方記録部１２の記録内容を読み出し、所定の処方条件を満たす処方の処理時間の平均を導出する。または、第二統計表生成部１６は、処方記録部１２から、所定の受付時刻を満たす処方の処理時間の平均を導出する。
【００３７】
第二統計表生成部１６は、さらに導出結果を第二統計表として表示器１８に表示させる。図４は、第二統計表の一例を示す図である。なお、図４は、図２には対応していない。図４には、Ｄｏ処方とそれ以外の処理時間の平均、受付時刻が所定の時間帯である場合の処理時間の平均などが表示されている。
【００３８】
表示器１８は通常のディスプレイである。なお、表示器１８に表示された内容を図示省略したプリンタにより印刷してもよい。
【００３９】
次に、第一の実施形態の動作を説明する。
【００４０】
まず、処方記録部１２に、処方ごとに、処方の受付時刻、処方の終了時刻および処方条件が記録される（図２参照）。
【００４１】
ここで、第一統計表生成部１４が、所定の受付時刻を満たす処方の処理時間の平均を導出する。さらに、第一統計表生成部１４が、所定の受付時刻を満たし、かつ、所定の処方条件を満たす処方の処理時間の平均を導出する。導出結果は、表示器１８に表示される（図３参照）。
【００４２】
さらに、第二統計表生成部１６が所定の処方条件を満たす処方の処理時間の平均を導出する。または、第二統計表生成部１６が、所定の受付時刻を満たす処方の処理時間の平均を導出する。導出結果は、表示器１８に表示される（図４参照）。
【００４３】
第一の実施形態によれば、受付の時間帯や処方条件による患者の待ち時間の傾向を第一統計表生成部１４により生成された第一統計表および第二統計表生成部１６により生成された第二統計表により把握できるので、効率の良い調剤業務、薬局運営を実現することができる。
【００４４】
第二の実施形態
調剤報酬請求明細書（レセプト）の請求データをテキスト形式で作成し、磁気記録媒体に記録し、審査支払機関に提出することが認められている。このテキスト形式の請求データをコンピュータの画面に表示および印刷すれば、その内容の点検を行うことができる。
【００４５】
第三の実施形態
図５は、第三の実施形態にかかる調剤支援装置３０の構成を示す機能ブロック図である。調剤支援装置３０は、第一監査結果記録部３２、第二監査結果記録部３４、差分導出部３６、表示器３８を備える。
【００４６】
第一監査結果記録部３２は、処方せんの内容の監査結果を記録する。監査とは、処方した薬剤の相互作用、薬剤の重複投与、薬剤の限度量を超えた投与の有無といった過誤をチェックするものである。過誤があると、その内容が第一監査結果記録部３２に記録される。
【００４７】
第二監査結果記録部３４は、処方せんを処方した者と同一の者が処方し、処方せんを処方された者と同一の者が処方された新たな処方せんの内容の監査結果を記録する。
【００４８】
例えば、第一監査結果記録部３２に記録された監査結果に関する処方せんは、医師Ａ（処方した者）が患者Ｘ（処方された者）について処方したものであるとする。新たな処方せんとは、医師Ａが患者Ｘに対してまた処方を行ったものである。このような新たな処方せんについての監査結果を、第二監査結果記録部３４は記録する。新たな処方せんは、例えば、第一監査結果に基づき医師Ａが処方せんを修正したものである。
【００４９】
差分導出部３６は、第一監査結果記録部３２の記録内容と、第二監査結果記録部３４の記録内容とを読み出し、それらの差分を導出する。差分には、（１）第一監査結果記録部３２の記録内容には無いが、第二監査結果記録部３４の記録内容にはある内容（「増えた項目」という）、（２）第一監査結果記録部３２の記録内容にはあるが、第二監査結果記録部３４の記録内容には無い内容（「減った項目」という）がある。
【００５０】
差分導出部３６は、表示器３８に差分を表示させる。図６は、差分の表示例を示す図である。増えた項目が上段に、減った項目が下段に表示されている。
【００５１】
表示器３８は通常のディスプレイである。なお、表示器３８に表示された内容を図示省略したプリンタにより印刷してもよい。
【００５２】
次に、第三の実施形態の動作を説明する。
【００５３】
まず、ある処方せんが監査され、監査結果が第一監査結果記録部３２に記録される。さらに、新たな処方せんが監査され、監査結果が第二監査結果記録部３４に記録される。差分導出部３６が、第一監査結果記録部３２の記録内容と、第二監査結果記録部３４の記録内容との差分を導出し、表示器３８に差分を表示させる（図６参照）。
【００５４】
第三の実施形態によれば、監査結果の差分を容易に把握することができる。
【００５５】
第四の実施形態
図７は、第四の実施形態にかかる調剤支援装置４０の構成を示す機能ブロック図である。調剤支援装置４０は、単価入力部４１、件数入力部４２、収入演算部４４、支出演算部４６、表示器４８を備える。
【００５６】
単価入力部４１と、調剤報酬に関する指導料または技術料の単価を入力するためのものである。指導料または技術料の単価は改定されることがあるが、改定後の単価を入力することができる。
【００５７】
件数入力部４２と、調剤の件数を入力する。
【００５８】
収入演算部４４と、入力された単価および件数を受けて。それらに基づき収入を演算する。おおよそ、（単価）×（件数）の総和が収入に相当する。
【００５９】
支出演算部４６と、支出を演算する。
【００６０】
なお、収入演算部４４および支出演算部４６の演算結果が表示器４８に表示される。図８は、表示内容の一例を示す図である。
【００６１】
表示器４８は通常のディスプレイである。なお、表示器４８に表示された内容を図示省略したプリンタにより印刷してもよい。
【００６２】
次に、第四の実施形態の動作を説明する。
【００６３】
まず、ユーザが、単価入力部４１により指導料または技術料の単価を入力する。さらに、ユーザが、件数入力部４２により、調剤の件数を入力する。収入演算部４４が、入力された単価および件数を受けて、それらに基づき収入を演算する。また、支出演算部４６が、支出を演算する。演算結果が表示器４８に表示される（図８参照）。
【００６４】
第四の実施形態によれば、指導料または技術料の単価および調剤の件数を入力することで、薬局の収支状況をシミュレートできる。
【００６５】
第五の実施形態
図９は、第五の実施形態にかかる調剤支援装置５０の構成を示す機能ブロック図である。調剤支援装置５０は、全処方記録部５１、再来患者選択部５２、予測用処方記録部５３、来局日予測部５４、来局予定導出部５５、使用予定量集計部５６、表示器５８を備える。
【００６６】
全処方記録部５１は、調剤支援装置５０のユーザである調剤薬局にて調剤した患者ごとに患者氏名、調剤日、薬剤を使用する使用日数および使用する薬剤の量を記録するものである。図１０は、全処方記録部５１の記録内容の一例である。なお、必要に応じて、処方せんを発行した医療機関名、診療科、Ｄｏ処方であるか否か、服用時点ごとに薬品を一包化するか否か、剤数、薬品数、予め調剤しておくか否か（予製）を記録してもよい。
【００６７】
再来患者選択部５２は、ユーザが、再び来局することが予測される患者を選択するためのものである。例えば、図１０の例において、パナシア華子のみが、再び来局することが予測されるのであれば、パナシア華子を選択する。
【００６８】
予測用処方記録部５３は、再来患者選択部５２により選択された患者（薬局に再び来局することが予測される患者）ごとに、患者氏名、調剤日、薬剤を使用する使用日数および使用する薬剤の量を記録する。図１１は、予測用処方記録部５３の記録内容の一例である。なお、必要に応じて、処方せんを発行した医療機関名、診療科、Ｄｏ処方であるか否か、服用時点ごとに薬品を一包化するか否か、剤数、薬品数、予め調剤しておくか否か（予製）を記録してもよい。
【００６９】
来局日予測部５４は、予測用処方記録部５３に記録された調剤日および使用日数に基づき来局日を予測する。予測は、（調剤日）＋（使用日数）＝（来局日）であるとする。例えば、９月１日が調剤日であり、使用日数が１４日であれば、９月１４日には薬剤を使用し終えるため、９月１５日に再び来局することが予測される。よって、９月１日＋１４日＝９月１５日が来局日であると予測される。来局日予測部５４は、患者の患者氏名、調剤日、薬剤を使用する使用日数および使用する薬剤の量などを読み出しておくものとする。
【００７０】
来局予定導出部５５は、来局日予測部５４の予測した来局日が所定期間内である患者の患者氏名および来局日を導出する。所定期間はユーザが与える。例えば、所定期間が９月中であるとすれば、図１１を参照して、パナシア華子が来局するので、患者氏名「パナシア華子」、来局日「９月１５日」を導出する。
【００７１】
使用予定量集計部５６は、来局日予測部５４の予測した来局日が所定期間内である患者の使用する薬剤の量を薬剤ごとに集計する。所定期間はユーザが与える。例えば、所定期間が９月中であるとすれば、図１１を参照して、パナシア華子の使用する薬剤の量は、グラケーカプセル15mgが３錠×１４日＝４２錠である旨を求め、グラケーカプセル15mgを何錠使用するかを集計する。図１１の例では、パナシア華子のみなので、グラケーカプセル15mgが４２錠使用されるというのが集計結果となる。他にもグラケーカプセル15mgを使用する患者が９月中に来局する予定であれば、グラケーカプセル15mgについての使用量の集計結果が増えることになる。
【００７２】
表示器５８は通常のディスプレイである。なお、表示器５８に表示された内容を図示省略したプリンタにより印刷してもよい。表示器５８は、来局予定導出部５５の導出結果および使用予定量集計部５６の集計結果を表示する。図１２は、表示器５８の表示内容の一例を示す図である。上段が来局予定導出部５５の導出結果、下段が使用予定量集計部５６の集計結果である。
【００７３】
次に、第五の実施形態の動作を説明する。
【００７４】
まず、調剤薬局の担当者が患者ごとに患者氏名、調剤日などを全処方記録部５１に記録していく。さらに、調剤薬局の担当者が再び来局することが予測される患者を選択する。すると、再来患者選択部５２により選択された患者の患者氏名、調剤日などを、再来患者選択部５２が全処方記録部５１から読み出して、予測用処方記録部５３に記録させる。
【００７５】
来局日予測部５４は、予測用処方記録部５３に記録された調剤日および使用日数に基づき来局日を予測する。来局予定導出部５５は、来局日予測部５４の予測した来局日が所定期間内である患者の患者氏名および来局日を導出する。使用予定量集計部５６は、来局日予測部５４の予測した来局日が所定期間内である患者の使用する薬剤の量を薬剤ごとに集計する。表示器５８は、来局予定導出部５５の導出結果および使用予定量集計部５６の集計結果を表示する。
【００７６】
第五の実施形態によれば、来局する患者を予測し、使用される薬剤の量も予測できる。
【００７７】
第六の実施形態
図１３は、第六の実施形態にかかる調剤支援装置６０の構成を示す機能ブロック図である。調剤支援装置６０は、処方記録部６２、開始終了日表示部６４、定常状態表示部６６、表示器６８を備える。
【００７８】
処方記録部６２は、内服する薬剤の調剤日（内服の開始する日）および服用の終了する日を記録する。図１４は、処方記録部６２の記録内容の一例である。
【００７９】
開始終了日表示部６４は、ある一種類の薬剤の服用開始日および服用終了日を所定の幅の図形で表示器６８に表示させる。
【００８０】
定常状態表示部６６は、服用開始日および服用終了日以外の日が、所定日数（N日とする（ただしNは２以上の整数））以上連続している状態を、所定の幅にNを乗じた幅よりも狭い幅の図形で表示器６８に表示させる。例えば、N=5として、所定の幅の３倍の図形で表示器６８に表示させることが考えられる。
【００８１】
表示器６８は通常のディスプレイである。なお、表示器６８に表示された内容を図示省略したプリンタにより印刷してもよい。図１５は、表示器６８の表示内容の一例である。
【００８２】
次に、第六の実施形態の動作を説明する。
【００８３】
処方記録部６２の記録内容を開始終了日表示部６４および定常状態表示部６６が読み出して表示器６８に表示させる。
【００８４】
図１５を参照して、開始終了日表示部６４は、グラケーカプセル15mgの服用開始日５／９、グラケーカプセル15mgの服用終了日６／５、ガチフロ錠の服用開始日５／１８、ガチフロ錠100mgの服用終了日６／７を一つのほぼ正方形の形状のマス一個で表示させる。図１５のグラケーカプセル15mgの行（１行目）およびガチフロ錠100mgの行（４行目）を参照されたい。
【００８５】
５／９から６／７までの期間で、服用開始日および服用終了日以外の日を考える。
（１）５／１０から５／１７までの期間
８日間であり、N日=5日間以上であるため、所定の幅の３倍の図形、すなわち、３マスで定常状態表示部６６により表示される。
（２）５／１９から６／４までの期間
１７日間であり、N日=5日間以上であるため、所定の幅の３倍の図形、すなわち、３マスで定常状態表示部６６により表示される。
（３）６／６の一日間
N日=5日間以上ではないため、一日＝１マスで定常状態表示部６６により表示される。
【００８６】
なお、処方せんの発行の状態によっては、定常状態表示部６６は、ある薬剤を重複して服用する可能性のある日を所定の幅の図形、すなわち１マスで表示させる。なお、ある薬剤を重複して服用する可能性のある日とは、ある処方せんで、グラケーカプセル15mgを４月１日から１４日分処方され、またある処方せんで、４月１２日から１４日分処方されたような状態をいう。４月１２日〜４月１４日までは、ある処方せんのグラケーカプセル15mgと、またある処方せんのグラケーカプセル15mgを重複して服用する可能性がある。たとえこのような期間が５日以上になっても、３マスで表示するようにしない。１日１マスで表示する。
【００８７】
なお、マスを色々な模様で表現しているが、表示器６８がカラー表示可能なディスプレイであれば、模様のかわりにマスを色分けして表示するようにすることが好ましい。
【００８８】
なお、図１６は、いずれの日も１日１マスで表示した比較例を示す図である。図１５の表示例と比べて、表示できる期間が短いことがわかる（図１５：４／１〜６月上旬、図１６：５月中旬〜６月上旬）。
【００８９】
第六の実施形態によれば、一種類以上の薬剤を内服する状況を表示するにあたって、より長い期間を表示できる。
【００９０】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータのメディア読み取り装置に、上記の各部分を実現するプログラムを記録したメディアを読み取らせて、ハードディスクにインストールする。このような方法でも、上記の機能を実現できる。
【図面の簡単な説明】
【００９１】
【図１】第一の実施形態にかかる調剤支援装置１０の構成を示す機能ブロック図である。
【図２】処方記録部１２の記録内容の一例を示す図である。
【図３】第一統計表の一例を示す図である。
【図４】第二統計表の一例を示す図である。
【図５】第三の実施形態にかかる調剤支援装置３０の構成を示す機能ブロック図である。
【図６】差分の表示例を示す図である。
【図７】第四の実施形態にかかる調剤支援装置４０の構成を示す機能ブロック図である。
【図８】表示内容の一例を示す図である。
【図９】第五の実施形態にかかる調剤支援装置５０の構成を示す機能ブロック図である。
【図１０】全処方記録部５１の記録内容の一例である。
【図１１】予測用処方記録部５３の記録内容の一例である。
【図１２】表示器５８の表示内容の一例を示す図である。
【図１３】第六の実施形態にかかる調剤支援装置６０の構成を示す機能ブロック図である。
【図１４】処方記録部６２の記録内容の一例である。
【図１５】表示器６８の表示内容の一例である。
【図１６】いずれの日も１日１マスで表示した比較例を示す図である。
【符号の説明】
【００９２】
１０、３０、４０、５０、６０  調剤支援装置
１２  処方記録部
１４  第一統計表生成部（平均導出手段）
１６  第二統計表生成部（平均導出手段）
３２  第一監査結果記録部
３４  第二監査結果記録部
３６  差分導出部
４１  単価入力部
４２  件数入力部
４４  収入演算部
４６  支出演算部
５１  全処方記録部
５２  再来患者選択部
５３  予測用処方記録部
５４  来局日予測部
５５  来局予定導出部
５６  使用予定量集計部
６２  処方記録部
６４  開始終了日表示部
６６  定常状態表示部
【図１】
2008077506.tif 000003
【図２】
2008077506.tif 000004
【図３】
2008077506.tif 000005
【図４】
2008077506.tif 000006
【図５】
2008077506.tif 000007
【図６】
2008077506.tif 000008
【図７】
2008077506.tif 000009
【図８】
2008077506.tif 000010
【図９】
2008077506.tif 000011
【図１０】
2008077506.tif 000012
【図１１】
2008077506.tif 000013
【図１２】
2008077506.tif 000014
【図１３】
2008077506.tif 000015
【図１４】
2008077506.tif 000016
【図１５】
2008077506.tif 000017
【図１６】
2008077506.tif 000018